(57)【要約】  生命体検知処理方法、装置及び端末であって、該方法は、ＷｉＦｉ電磁波を発射することと、ＷｉＦｉ電磁波の反射波とＷｉＦｉ電磁波のコヒーレント波を受信することと、受信したコヒーレント波に基づいて、生命体情報を確定することと、を含む。本発明によれば、既存技術における生命体に対する検知には、ユーザの操作が不便で、普及率が高くなく、汎用性に欠けているという問題を解決し、携帯に便利で、使用しやすく且つ即時利用が可能であるという効果を得ることができる。
2016536610.tif 000002
【特許請求の範囲】
【請求項１】
ＷｉＦｉ電磁波を発射することと、
前記ＷｉＦｉ電磁波の反射波と前記ＷｉＦｉ電磁波のコヒーレント波を受信することと、
受信した前記コヒーレント波に基づいて生命体情報を確定することと、を含む生命体検知処理方法。
【請求項２】
受信した前記コヒーレント波に基づいて前記生命体情報を確定することは、
受信した前記コヒーレント波の周波数を取得することと、
取得された前記周波数に生命徴候の周波数範囲内の部分が含まれているか否かを判定することと、
判定結果がＹＥＳである場合、前記反射波の波源情報に基づいて前記生命体情報を確定することと、を含む請求項１に記載の方法。
【請求項３】
取得された前記周波数に生命徴候の周波数範囲内の部分が含まれているか否かを判定することは、
前記生命徴候の周波数範囲に基づいて、受信した前記コヒーレント波の周波数をフィルタリングすることと、
フィルタリング後、残りの周波数がある場合、取得された前記周波数に前記生命徴候の周波数範囲内の部分が含まれていると確定することと、を含む請求項２に記載の方法。
【請求項４】
受信した前記コヒーレント波に基づいて前記生命体情報を確定した後、
ディスプレイに前記生命体情報を表示すること、及び／又は、
前記生命体情報に基づいてユーザに対応する注意を与えること、を更に含む請求項１に記載の方法。
【請求項５】
前記生命体情報は、生命体が存在するか否か、生命体数、生命体の位置の中の少なくも一つを含む請求項１乃至４のいずれか１つに記載の方法。
【請求項６】
ＷｉＦｉ電磁波を発射するように構成される発射モジュールと、
前記ＷｉＦｉ電磁波の反射波と前記ＷｉＦｉ電磁波のコヒーレント波を受信するように構成される受信モジュールと、
受信した前記コヒーレント波に基づいて生命体情報を確定するように構成される確定モジュールと、を含む生命体検知処理装置。
【請求項７】
前記確定モジュールは、
受信した前記コヒーレント波の周波数を取得するように構成される取得ユニットと、
取得された前記周波数に生命徴候の周波数範囲内の部分が含まれているか否かを判定するように構成される判定ユニットと、
前記判定ユニットの判定結果がＹＥＳである場合、前記反射波の波源情報に基づいて前記生命体情報を確定するように構成される確定ユニットと、を含む請求項６に記載の装置。
【請求項８】
前記判定ユニットは、
前記生命徴候の周波数範囲に基づいて、受信した前記コヒーレント波の周波数をフィルタリングするように構成されるフィルターサブユニットと、
フィルタリング後、残りの周波数がある場合、取得された前記周波数に前記生命徴候の周波数範囲内の部分が含まれていると確定するように構成される確定サブユニットと、を含む請求項７に記載の装置。
【請求項９】
ディスプレイに前記生命体情報を表示するように構成される表示モジュール、及び／又は、
前記生命体情報に基づいてユーザに対応する注意を与えるように構成される注意モジュール、を更に含む請求項６に記載の装置。
【請求項１０】
請求項６乃至９のいずれか１つに記載の装置を含む端末。
【発明の詳細な説明】
【技術分野】
【０００１】
本発明は通信分野に関し、具体的に、生命体検知処理方法、装置及び端末に関する。
【背景技術】
【０００２】
最近、さまざまな自然災害や悪性の犯罪事件は上昇傾向にあって、発生すると、生命や財産に大きな被害をもたらす。生命体検知は生命救援及び犯罪予防の方面で極めて重要な役割を果たす。現在、生命体検知は通常、感熱式イメージング又は超音波レーダイメージング技術を利用しており、専門の検知機器が必要であり、また、必要な時には事前に用意しなければならないので、よくとっさの必要に備えることができない。
【０００３】
よって、既存技術における生命体に対する検知には、ユーザの操作が不便で、普及率が高くなく、汎用性に欠けているという問題が存在している。
【発明の概要】
【発明が解決しようとする課題】
【０００４】
本発明は、少なくとも既存技術における生命体に対する検知には、ユーザの操作が不便で、普及率が高くなく、汎用性に欠けているという問題を解決できる生命体検知処理方法及び装置を提供する。
【課題を解決するための手段】
【０００５】
本発明の一態様によると、ＷｉＦｉ電磁波を発射することと、前記ＷｉＦｉ電磁波の反射波と前記ＷｉＦｉ電磁波のコヒーレント波を受信することと、受信した前記コヒーレント波に基づいて生命体情報を確定することと、を含む生命体検知処理方法を提供する。
【０００６】
受信した前記コヒーレント波に基づいて前記生命体情報を確定することは、受信した前記コヒーレント波の周波数を取得することと、取得された前記周波数に生命徴候の周波数範囲内の部分が含まれているか否かを判定することと、判定結果がＹＥＳである場合、前記反射波の波源情報に基づいて前記生命体情報を確定することと、を含むことが好ましい。
【０００７】
取得された前記周波数に生命徴候の周波数範囲内の部分が含まれているか否かを判定することは、前記生命徴候の周波数範囲に基づいて、受信した前記コヒーレント波の周波数をフィルタリングすることと、フィルタリング後、残りの周波数がある（周波数が残る）場合、取得された前記周波数に前記生命徴候の周波数範囲内の部分が含まれていると確定することと、を含むことが好ましい。
【０００８】
受信した前記コヒーレント波に基づいて前記生命体情報を確定した後、ディスプレイに前記生命体情報を表示すること、及び／又は、前記生命体情報に基づいてユーザに対応する注意を与えること、を更に含むことが好ましい。
【０００９】
前記生命体情報は、生命体が存在するか否か、生命体数、生命体の位置の中の少なくも一つを含むことが好ましい。
【００１０】
本発明の他の一態様によると、ＷｉＦｉ電磁波を発射するように構成される発射モジュールと、前記ＷｉＦｉ電磁波の反射波と前記ＷｉＦｉ電磁波のコヒーレント波を受信するように構成される受信モジュールと、受信した前記コヒーレント波に基づいて生命体情報を確定するように構成される確定モジュールと、を含む生命体検知処理装置を提供する。
【００１１】
前記確定モジュールは、受信した前記コヒーレント波の周波数を取得するように構成される取得ユニットと、取得された前記周波数に生命徴候の周波数範囲内の部分が含まれているか否かを判定するように構成される判定ユニットと、上記判定ユニットの判定結果がＹＥＳである場合、前記反射波の波源情報に基づいて前記生命体情報を確定するように構成される確定ユニットと、を含むことが好ましい。
【００１２】
前記判定ユニットは、前記生命徴候の周波数範囲に基づいて、受信した前記コヒーレント波の周波数をフィルタリングするように構成されるフィルターサブユニットと、フィルタリング後、残りの周波数がある（周波数が残る）場合、取得された前記周波数に前記生命徴候の周波数範囲内の部分が含まれていると確定するように構成される確定サブユニットと、を含むことが好ましい。
【００１３】
前記装置は、ディスプレイに前記生命体情報を表示するように構成される表示モジュール、及び／又は、前記生命体情報に基づいてユーザに対応する注意を与えるように構成される注意モジュールと、を更に含むことが好ましい。
【００１４】
本発明の更に他の一態様によると、上述したいずれかの装置を含む端末を提供する。
【発明の効果】
【００１５】
本発明によれば、ＷｉＦｉ電磁波を発射し、前記ＷｉＦｉ電磁波の反射波と前記ＷｉＦｉ電磁波のコヒーレント波を受信し、受信した前記コヒーレント波に基づいて生命体情報を確定することによって、既存技術における生命体に対する検知に、ユーザの操作が不便で、普及率が高くなく、汎用性に欠けている問題を解決し、更に、携帯に便利で、使用しやすく、且つ即時利用が可能である効果を図ることができる。
【図面の簡単な説明】
【００１６】
ここで説明する図面は本発明を一層良く理解させるためのもので、本願の一部を構成し、本発明に示す実施例及びその説明は本発明を解釈するもので、本発明を不当に限定するものではない。
【図１】本発明の実施例に係る生命体検知処理方法を示すフローチャートである。
【図２】本発明の実施例に係る生命体検知処理装置の構成を示すブロック図である。
【図３】本発明の実施例に係る生命体検知処理装置の好適な構成を示すブロック図の１である。
【図４】本発明の実施例に係る生命体検知処理装置中の確定モジュール２６の好適な構成を示すブロック図である。
【図５】本発明の実施例に係る生命体検知処理装置の好適な構成を示すブロック図の２である。
【図６】本発明の実施例に係る端末の構成を示すブロック図である。
【図７】本発明の実施例に係る生命体制御処理システムの構成を示す図である。
【図８】本発明の好適な実施形態に係る生命体検知処理方法を示すフローチャートである。
【発明を実施するための形態】
【００１７】
以下、図面を参照しつつ実施例を結合して本発明を詳しく説明する。尚、衝突しない限り、本願の実施例及び実施例に記載の特徴を組み合わせることができる。
【００１８】
本実施例において生命体検知処理方法が提供され、図１は本発明の実施例に係る生命体検知処理方法を示すフローチャートで、図１に示すように、以下のステップを含む。
【００１９】
ＷｉＦｉ電磁波を発射し（ステップＳ１０２）、
ＷｉＦｉ電磁波の反射波とＷｉＦｉ電磁波のコヒーレント波を受信し（ステップＳ１０４）、
受信した上記コヒーレント波に基づいて生命体情報を確定し（ステップＳ１０６）、ここで、該生命体情報はさまざまであって、例えば該生命体情報は生命体が存在するか否か、生命体数、生命体の位置、生命体の大きさの中の少なくとも一つを含むことができる。
【００２０】
上記ステップでは、ＷｉＦｉを発射可能な機器によってＷｉＦｉを発射し、ＷｉＦｉの反射波及び該ＷｉＦｉのコヒーレント波を受信することで生命体情報を確定し、既存技術において感熱式イメージング又は超音波レーダイメージング技術を利用して生命体を検知することに比べ、既存技術における生命体に対する検知には、ユーザの操作が不便で、普及率が高くなく、汎用性に欠けている問題を解決できるだけでなく、携帯に便利で、使い勝手が良く、且つ即時利用が可能であるという効果を実現できる。
【００２１】
受信したコヒーレント波に基づいて生命体情報を確定することはさまざまな方式で行うことができ、例えば、周波数に基づく方式で処理することができ、以下のように処理することができる：受信したコヒーレント波の周波数を取得し、取得された周波数に生命徴候の周波数範囲内の部分が含まれているか否かを判定し、結果がＹＥＳである場合、反射波の波源情報に基づいて生命体情報を確定する。検知端末が所在する位置の違いにより、該コヒーレント波の異なるパラメーターに基づいて判定することができ、例えば、検知端末が所在する位置が広広としている場合、受信した反射波に基づいて直接に生命体情報を確定することができる。
【００２２】
受信したコヒーレント波に基づいて生命体情報を容易且つ高速に確定し、取得された周波数が生命徴候の周波数範囲内であるか否かを判定するため、更に、生命徴候の周波数範囲に基づいて、受信したコヒーレント波をフィルタリングし、フィルタリング後に残りの周波数がある（周波数が残る）場合、取得された周波数に生命徴候の周波数範囲内の部分が含まれていると確定してもよい。上記処理によれば、生命体周波数範囲内ではない信号波を優先的にフィルタリングし、即ち、ノイズ波信号を優先的にフィルタリングすることで、その後の、受信したコヒーレント波の周波数が生命徴候の周波数範囲内であるか否かの判定を簡単且つ高速に行うことができる。
【００２３】
検知端末の周りの生命体情報を直観的に表示するため、受信したコヒーレント波に基づいて生命体情報を確定した後、ディスプレイに生命体情報を表示すること、及び／又は、生命体情報に基づいてユーザに対応する注意を与えることを行ってもよい。つまり、生命体情報に基づいて周囲に生命体が存在すると確定した場合、音声又は光線の方式で警告情報を出してユーザに注意を与える。
【００２４】
本実施例において更に生命体検知処理装置が提供され、該装置は上記実施例及び好適な実施形態を実現するためのもので、既に説明した部分の説明は省略する。以下の説明中の用語「モジュール」は所定の機能を実現可能なソフトウェア及び／又はハードウェアの組み合わせである。以下の実施例に記載の装置をソフトウェアで実現することが好ましいが、ハードウェア又はソフトウェアとハードウェアの組み合わせにより実現することも可能であり考えられている。
【００２５】
図２は本発明の実施例に係る生命体検知処理装置の構成を示すブロック図で、図２に示すように、該装置は発射モジュール２２と、受信モジュール２４と、確定モジュール２６と、を含む。以下、該装置を説明する。
【００２６】
発射モジュール２２はＷｉＦｉ電磁波を発射するように構成され、受信モジュール２４は上記発射モジュール２２に接続され、ＷｉＦｉ電磁波の反射波とＷｉＦｉ電磁波のコヒーレント波を受信するように構成され、確定モジュール２６は上記受信モジュール２４に接続され、受信したコヒーレント波に基づいて生命体情報を確定するように構成される。
【００２７】
図３は本発明の実施例に係る生命体検知処理装置の確定モジュール２６の好適な構成を示すブロック図で、図４に示すように、該確定モジュール２６は取得ユニット３２と、判定ユニット３４と、確定ユニット３６と、を含み、以下、該確定モジュール２６を説明する。
【００２８】
取得ユニット３２は受信したコヒーレント波の周波数を取得するように構成され、判定ユニット３４は上記取得ユニット３２に接続され、取得された周波数に生命徴候の周波数範囲内の部分が含まれているか否かを判定するように構成され、確定ユニット３６は上記判定ユニット３４に接続され、上記判定ユニットの判定結果がＹＥＳ（はい）である場合、反射波の波源情報に基づいて生命体情報を確定するように構成される。
【００２９】
図４は本発明の実施例に係る生命体検知処理装置における確定モジュール２６の判定ユニット３４の好適な構成を示すブロック図で、図４に示すように、該判定ユニット３４はフィルターサブユニット４２と、確定サブユニット４４と、を含む。以下、該判定ユニット３４を説明する。
【００３０】
フィルターサブユニット４２は生命徴候の周波数範囲に基づいて、受信したコヒーレント波の周波数をフィルタリングするように構成され、確定サブユニット４４は上記フィルターサブユニット４２に接続され、フィルタリング後に残りの周波数がある場合、取得された周波数に生命徴候の周波数範囲内の部分が含まれていると確定するように構成される。
【００３１】
図５は本発明の実施例に係る生命体検知処理装置の好適な構成を示すブロック図の２で、図５に示すように、該装置は図２に示す全てのモジュールに加え、表示モジュール５２、及び／又は、注意モジュール５４も含む。以下、該表示モジュール５２及び／又は注意モジュール５４を説明する。
【００３２】
表示モジュール５２は上記確定モジュール２６に接続され、ディスプレイに生命体情報を表示するように構成され、
注意モジュール５４は上記確定モジュール２６に接続され、上記生命体情報に基づいてユーザに対応する注意を与えるように構成される。
【００３３】
図６は本発明の実施例に係る端末の構成を示すブロック図で、図６に示すように、該端末６０は上述したいずれかの生命体検知処理装置６２を含む。
【００３４】
既存技術における生命体に対する検知には、ユーザの操作が不便で、普及率が高くなく、汎用性に欠けている問題について、出願人は、生命体検知に最も適切な電磁波の周波数が２．４５Ｈｚであることに鑑み、ＷｉＦｉの最もよく用いられる周波数が２.５Ｈｚであることから、ＷｉＦｉアンテナから発射される電磁波が生命体の検知に適することを発見した。現在、ＷｉＦｉは携帯電話分野に非常に普及しており、通常、一つの発射アンテナのみを有する。仮に、一つの受信アンテナを追加して反射波を受信し、その後フィルタリングして生命徴候に合致する周波数データを取得すると、携帯電話のディスプレイに該生命体の位置を表示することができる。このような装置は、携帯に便利で、使用しやすい明らかなメリットを有する。例えば、辺鄙なところにおいて、夜に当該装置があると、周囲に見知らぬ人が接近しているか否かを常に把握でき、意外の襲撃を防止することができる。そこで、本実施例において、ＷｉＦｉ信号の発射によって実現される端末（例えば、携帯電話）による生命体検知方法が提供され、既存技術において生命体の検知を体積が小さい携帯電話端末で実現しにくいという問題を解決する。
【００３５】
上記実施例及び好適な実施形態によれば、携帯電話端末においてＷｉＦｉアンテナを介して電波を発射及び受信することで、ＷｉＦｉ発射源周囲の生命体数を検知するとともに、発射アンテナと受信アンテナの指向能力を利用して生命体の位置を測位し、日常生活中に必要な生命検知救援、犯罪予防の問題を解決する。
【００３６】
また、当該携帯電話による周囲生命体の検知方法は、携帯電話端末の周囲の生命体数、位置情報を検知できるだけでなく、携帯電話端末の一定範囲内に生命体があると検知されると、端末で対応する位置をユーザに表示し、適切な音声でユーザに注意を与えることができる。
【００３７】
既存技術において感熱原理により、複雑な電気機器で周囲の物体の熱変化を感知することで生命体を認識し、携帯電話端末等の小さい機器では実現することができない場合に比べ、上記技術によれば、ユーザ周囲の生命体を有効に検知し、生命体の移動速度、位置変化をリアルタイムにフィードバックすることができるとともに、携帯電話端末で対応する位置を表示して、ユーザに安全注意を喚起し、また生命救援に応用することもできる。
【００３８】
以下、図面を結合して本発明の好適な実施形態を説明する。
【００３９】
この好適な実施形態に係る生命体検知処理方法は主に、信号発射ターミナルがＷｉＦｉを介して電磁波を発射し、発射機から発射された電磁波がアンテナを介して周囲の空間に放射され、電磁波が人体に当たった後反射波を発生し、受信アンテナが人体の反射波を受信した後、増幅、フィルタリング、復調処理を行い、端末上のチップによってノイズ波信号が除去され、生命体と発射信号が相互作用して発生したコヒーレント波の周波数が抽出されるステップを含む。その後、チップは発射アンテナ及び受信アンテナの測位によってそれぞれ測位された波源方向に基づいて反射波の波源位置を算出する。
【００４０】
以下、生命体の検知、測位の計算方法を説明する。
【００４１】
移動ターゲットの検知：発射ターミナルが連続して電波を発射する時、発射信号をＳ（ｔ）＝Ａ０ｃｏｓ（２πｆ０ｔ＋μ０）と表すことができ、ここで、ｆ０は発射ターミナルの発射波周波数で、μ０は初期位相で、Ａ０は波の振幅である。
【００４２】
受信アンテナが受信したターゲットエコー信号をＳｒ（ｔ）＝ＫＳ（ｔ−ｔｒ）＝ＫＡ０ｃｏｓ[２πｆ０（ｔ−ｔｒ） ＋μ０]と表し、ここで、Ｔｒはエコー信号の発射信号に対する遅延時間で、ターゲットと発射ターミナルとの距離はＲ＝ＴｒＣ／２である。
【００４３】
人体生命信号の検知は、実際上、低速移動ターゲットの検知であり、電波信号が人体ターゲットに照射された時、主な反射エコーは「空気−皮膚」領域に集中されている。当該領域の人体の振動がある範囲内に限定され、Ｒを中心に上下に変動するので、発射ターミナルと人体との瞬時距離はＲ（ｔ）＝Ｒ＋ΔＲ（ｔ）と表記されることができ、ΔＲ（ｔ）はハートビートと呼吸の振動に起因する皮膚の変動幅を表し、ΔＲ（ｔ）＝Δ１ｓｉｎ（ω１ｔ）＋Δ２ｓｉｎ（ω２ｔ＋μ２）であって、ここで、
ω１＝２πｆ１、ω２＝２πｆ２で、ｆ１、ｆ２、Δ１、Δ２は呼吸とハートビートの周波数と幅であり、μ２は常数位相で、「空気−皮膚」領域を介してレーダーへ反射される有用な信号は位相に偏移（オフセット）がある。
【００４４】
偏移（オフセット）はμ（ｔ）＝２π*２ｒ（ｔ）／λ＝２π／λ２Ｒ＋２π／λ２ΔＲ（ｔ）＝μ０＋２πｆｄｔである。
【００４５】
従って、生命信号をＳｒ（ｔ）＝Ａｃｏｓ（２π（ｆ０＋ｆｄ）ｔ＋θ）と表すことができ、Ａ＝ｋｒＡ０で、θ＝θ０＋μ０であり、その周波数領域の表現式は、
Ｓｒ（ｆ）＝ｊπＡ[δ（２πｆ＋＋２πｆ０＋２πｆｄ）e−ｊθ−δ（２πｆ−２πｆ０−２πｆｄ）ｅ−ｊθ]である。
【００４６】
上記表現式は人体のハートビートと呼吸の周波数範囲の表現式である。
【００４７】
発射された電磁波は人体に達した後、上記周波数の信号とインタラクションしてコヒーレント波を形成する。
【００４８】
デジタルモデリング、データ統計方法によって、生命体とＷｉＦｉ発射信号とがインタラクションして形成されたコヒーレント波の周波数の範囲、即ち周波数領域を得ることができる。
【００４９】
受信アンテナが周囲からフィードバックされた大量のエコーを受信した後フィルタリングして、上記周波数領域内ではない信号をフィルタリングすることが好ましい。チップは受信したコヒーレント波に基づいて、残りの生命信号の発射位置、数量を計算する。ディスプレイに該生命体の相対位置を表示する。なお、反射波位置の算出について、発射アンテナと受信アンテナの電磁波指向能力を利用して、発射波とエコーの夾角を得て、三角測位方法によって生命体の波源の位置を得ることができる。
【００５０】
好ましくは、その後、算出した結果をディスプレイに表示し、一定の範囲内に二つ（ユーザ自分を含む）以上の生命体があると、一定の音声又は他の方式でユーザに注意を与える。
【００５１】
図７は本発明の実施例に係る生命体制御処理システムの構成を示す図で、図７に示すように、該システムは、ＷｉＦｉ発射アンテナ７１（上記発射モジュール２２の機能に相当）と、ＷｉＦｉ受信アンテナ７２（上記受信モジュール２４の機能に相当）と、信号処理チップ７３（上記確定モジュール２６の機能に相当）と、電源７４と、ディスプレイ７５（上記表示モジュール５２の機能に相当）と、ブザー７６と、を含む。以下、該システムに含まれる構成をそれぞれ説明する。
【００５２】
ＷｉＦｉ発射アンテナ７１は、ＷｉＦｉ電磁波を発射する指向アンテナであることが好ましく、主に、ＷｉＦｉ電磁信号を発射するように構成され、更に、生命体に発射した電磁波の方向を測定し、指向能力を有するように構成されている。
【００５３】
ＷｉＦｉ受信アンテナ７２は、ＷｉＦｉ電磁波を受信する指向アンテナであることが好ましく、主に、反射波の信号を受信するように構成され、更に、生命体と発射アンテナから発射された電磁波がインタラクションして発生するコヒーレント波の方向を測定し、指向能力を有するように構成されている。
【００５４】
信号処理チップ７３は上記ＷｉＦｉ発射アンテナ７１とＷｉＦｉ受信アンテナ７２に接続され、ＷｉＦｉ受信アンテナが受信した電磁信号をフィルタリングして生命信号を得て、生命信号の数量、位置の算出や、リアルタイムな生命信号の位置の更新、ブザーの制御などを行うように構成されている。
【００５５】
電源７４は、システム全体に電力を供給する。
【００５６】
ディスプレイ７５は上記信号処理チップ７３に接続され、周囲の生命体の位置の表示、及び／又は、周囲の生命体数の表示を行うように構成されている。
【００５７】
ブザー７６は上記信号処理チップ７３に接続され、受信した前記コヒーレント波に基づいて生命体情報を確定した後、ユーザに周囲に生命体が存在することを通知するように構成されている。
【００５８】
図８は本発明の好適な実施形態に係る生命体検知処理方法を示すフローチャートで、図８に示すように、そのプロセスは以下のステップを含む。
【００５９】
ユーザが必要な時に生命体検知功能をオンにし（ステップＳ８０２）、
信号発射ターミナルがＷｉＦｉを介して電磁波を発射し（ステップＳ８０４）、
電磁波が周囲の空間に放射され（ステップＳ８０６）、
電磁波が生命体に当たった後反射波を発生させ（ステップＳ８０８）、
受信アンテナが生命体反射波を受信した後、増幅、フィルタリング、復調処理を行い（ステップＳ８１０）、
端末上のチップによってノイズ波信号を除去して、生命体と発射信号が相互作用して発生したコヒーレント波の周波数を抽出し（ステップＳ８１２）、
チップが生命体の位相、移動方向、周波数を計算し（ステップＳ８１４）、
抽出した結果をディスプレイに表示し、ブザーによってユーザに注意を与える（ステップＳ８１６）。
【００６０】
もちろん、当業者にとって、上記の本発明に係る各モジュール又は各ステップは汎用の演算装置によって実現することができ、単独の演算装置に集中させることができるし、或いは、複数の演算装置からなるネットワークに分布させることもでき、或いは、演算装置が実行可能なプログラムコードによって実現することで、それらを記憶装置に記憶させて演算装置によって実行することもでき、また、場合によって、ここで示した又は説明したステップを異なる順で実行することもでき、或いは、それらを夫々集積回路モジュールに作製し、或いはそのうちの複数のモジュール又はステップを単一の集積回路モジュールに作製して実現可能であることは明らかなことである。このように、本発明は如何なる特定のハードウェアとソフトウェアの組み合わせにも限定されない。
【００６１】
以上は、本発明の好適な実施例に過ぎず、本発明を限定するものではない。当業者であれば本発明に様々な修正や変形が可能である。本発明の精神や原則内での全ての修正、置換、改良なども本発明の保護範囲内に含まれる。
【産業上の利用可能性】
【００６２】
上記実施例及び好適な実施形態によれば、既存技術における生命体に対する検知には、ユーザの操作が不便で、普及率が高くなく、汎用性に欠けているという問題を解決し、更に、携帯に便利で、使いやすく且つ即時利用が可能であるという効果を実現できる。
【図１】
2016536610.tif 000003
【図２】
2016536610.tif 000004
【図３】
2016536610.tif 000005
【図４】
2016536610.tif 000006
【図５】
2016536610.tif 000007
【図６】
2016536610.tif 000008
【図７】
2016536610.tif 000009
【図８】
2016536610.tif 000010
【国際調査報告】
2016536610.tif 000011
2016536610.tif 000012
2016536610.tif 000013
2016536610.tif 000014
2016536610.tif 000015